【事件の表示】
　特許第３２２９８６３号「電気掃除機」の請求項１ないし３に係る特許に対する特許異議の申立てについて、次のとおり決定する。
【結　論】
　訂正を認める。
　特許第３２２９８６３号の請求項１ないし３に係る特許を維持する。
【理　由】
〔１〕手続の経緯
　特許第3229863号の請求項１〜８に係る発明は、平成11年３月17日に特許出願され、平成13年９月７日にその特許権の設定登録がされ、その後、異議申立人斉藤茂より請求項１〜３に係る発明の特許について特許異議の申立てがされ、取消しの理由が通知され、その指定期間内である平成14年12月11日に訂正請求がされたものである。
　
〔２〕訂正の適否についての判断
(1)訂正の内容
　特許権者が求めている訂正の内容は、以下のａ〜ｆのとおりである。
　ａ特許請求の範囲の請求項１の「前記内側ホースには導電線を内装しない可撓性ホースを用いた」を「前記内側ホースには導電線を内装しない可撓性ホースを用い
ると共に、前記内側ホースの端部に装着される補助パイプと、前記外側ホースの端部に装着される接続パイプとを備え、前記接続パイプに補助パイプを抜け止め機構により装着し
　ｂ請求項４の記載事項を削除すると共に、請求項５〜８の項数を一つずつ繰り上げ、旧請求項８に記載される「請求項７記載の電気掃除機」を「請求項６記載の電気掃除機」と訂正する。
　ｃ発明の詳細な説明中の段落【0011】の「前記内側ホースには導電線を内装しない可撓性ホースを用いた」を「前記内側ホースには導電線を内装しない可撓性ホースを用い
ると共に、前記内側ホースの端部に装着される補助パイプと、前記外側ホースの端部に装着される接続パイプとを備え、前記接続パイプに補助パイプを抜け止め機構により装着し
　ｄ発明の詳細な説明中の段落【0014】の記載事項を削除する。
　ｅ発明の詳細な説明中の段落【0061】の「吸気通路と排気通路を構成する二重構造のホースの軽量化を図ることができる。」を
「吸気通路と排気通路を構成する二重構造のホースの軽量化を図ることができる。
また、接続パイプに、内側ホースに装着される補助パイプを装着することにより、外側ホースと内側ホースとをそれぞれ接続パイプと補助パイプに接続した状態で組み立てることができ、組立作業性を向上することができる。
　ｆ発明の詳細な説明中の段落【0064】の記載事項を削除する。
　
(2)訂正の目的の適否、新規事項の有無及び拡張・変更の存否
　上記訂正事項ａは、異議申立されていない旧請求項４に記載されていた事項をそのまま旧請求項１に追加したものであるから、願書に添付した明細書（以下、「特許明細書」という。）に記載されていたものと認める。
　そうすると、上記訂正事項ａは、特許請求の範囲の減縮を目的とするものであり、特許明細書に記載されてた事項の範囲内で限定したものであるから、新規事項の追加に該当しない。
　上記訂正事項ｂは、請求項の削除であるから、特許請求の範囲の減縮を目的とするものであり、及び上記削除にともなって請求項の項番を繰り上げるものであるから、明りょうでない記載の釈明を目的とするものであり、ともに新規事項の追加に該当しない。
　上記訂正事項ｃ〜ｆは、上記訂正事項ａ、ｂの訂正にともない請求項の記載と発明の詳細な説明の記載を整合するための訂正であるから、明りょうでない記載の釈明を目的とするものであり、新規事項の追加に該当しない。
　そして、上記いずれの訂正も実質上特許請求の範囲を拡張し、又は変更するものでもない。
　
(3)独立特許要件について
　新たな請求項４〜７に係る発明は、旧請求項５〜８に係る発明であって、特許異議申立てのされていない請求項に係る発明であるところ、特許請求の範囲の減縮された新たな請求項１を引用するものであるから、実質的に特許請求の範囲が減縮されているものと認められる。
　そこで、新たな請求項４〜７に係る発明について検討する。
　新たな請求項４〜７に係る発明は、新たな請求項１に係る発明を技術的に更に限定するものであり、後記〔３〕のとおり、新たな請求項１に係る発明は、甲第１、２号証に記載された発明に基づいて当業者が容易に発明をすることができたものと認めることができず、甲第３号証の発明と同一であると認めることもできないから、新たな請求項４〜７に係る発明もそれぞれ独立して特許を受けることができる発明と認める。
　
(4)むすび
　以上のとおりであるから、上記訂正は、特許法第120条の４第２項及び同条第３項において準用する同法第126条第２〜４項の規定に適合するので、当該訂正を認める。
　
〔３〕特許異議申立てについての判断
(1)申立ての理由の概要
　特許異議申立人斉藤茂は、請求項１〜３に係る発明は、甲第１号証（特開平9-135795号公報）、及び甲第２号証（実願昭62-18859号（実開昭63-129557号）のマイクロフィルム）に記載された発明に基づいて当業者が容易に発明をすることができたものであるから、特許法第29条第２項の規定により特許を受けることができないものであり、請求項１、３に係る発明は、本件特許出願前の他の出願であって本件特許出願後に出願公開された特願平9-360245号（特開平11-187999号）の願書に最初に添付した明細書又は図面に記載された発明と同一であるから、特許法第29条の２の規定により特許を受けることができない、と主張している。
　
(2)本件発明
　上記〔２〕で示したように上記訂正が認められるから、本件の請求項１〜３に係る発明（以下、「本件発明１」〜「本件発明３」という。）は、上記訂正に係る訂正明細書の特許請求の範囲の請求項１〜３に記載された次のとおりのものである。
「【請求項１】電動送風機を内蔵すると共に電動送風機の排気を流す排気流路を有する掃除機本体に、ホース及び連結パイプを介して床用吸込具を連結した電気掃除機であって、前記ホースを、内側ホースと外側ホースとからなる二重構造に構成して、吸気流路と前記掃除機本体の排気流路に連通する排気流路とを形成し、前記外側ホースには導電線が内装された可撓性ホースを用い、前記内側ホースには導電線を内装しない可撓性ホースを用いると共に、前記内側ホースの端部に装着される補助パイプと、前記外側ホースの端部に装着される接続パイプとを備え、前記接続パイプに補助パイプを抜け止め機構により装着したことを特徴とする電気掃除機。
【請求項２】前記導電線として、保形性を有するコイル線を用いたことを特徴とする請求項１記載の電気掃除機。
【請求項３】前記二重構造のホースの端部が接続される接続パイプを、前記内側ホースが接続される内側の接続パイプと前記外側ホースが接続される外側の接続パイプからなる二重構造に構成し、前記接続パイプは、前記内側の接続パイプを、前記外側の接続パイプよりもホース側に突出させたことを特徴とする請求項１記載の電気掃除機。」
　
(3)甲号各証に記載された発明
　甲第１号証（特開平9-135795号公報、当審で通知した取消しの理由で引用した刊行物１）には、電気掃除機に関して、図１〜10とともに以下の事項が記載されている。
a)「以下、添付図面により、本発明の好適な実施例を説明する。図１には、本発明の実施例に係る電気掃除機10の内部構造の概略説明図が示されている。図より明らかな様に、電気掃除機10は、床面Ｆ上に接摺して移動しながら、空気と共に塵埃を吸込む塵埃吸込部12と、この塵埃吸込部12から空気と共に吸込んだ塵埃を集塵濾過する塵埃本体部14とを備えている。・・・集塵本体部14は、硬質合成樹脂や軽金属等を素材として中空密閉状に形成された筒形ケース体68を備え、この筒形ケース体68内の一端側には、筒形ケース体68の内面と間隙をおいて二重筒形に形成された集塵濾過室74と、吸引室80とが設けられている。集塵濾過室74内には濾過フィルタ84が内装され、吸引室80内には集塵濾過室74内の空気を吸引する吸引ファン82が軸支されている。そして、前記塵埃吸込部12から集塵本体部14へ接続された循環路20から塵埃を含む空気が集塵濾過室74へ吸引される。この集塵濾過室74の外周面に沿って吸引室80から循環路20の接続口側へ複数の連通部88が設けられている。この連通部88により集塵フィルタ84で集塵を捕捉した後の清浄な空気を吸引室80から循環路20側へ戻す。…循環路20は、集塵本体部14側に接続される空気ホース56と、塵埃吸込部12を床面でスムーズに移動させるための把手として前記空気ホース56に連結され、塵埃吸込部12に接続された把手兼用空気パイプ58とを備え、この空気ホース56と把手兼用空気パイプ58とは、内部に相互に連通した吸引路16と戻し路18とを有している。そして、空気ホース56の一端を集塵本体部14に接続したときに吸引路16は集塵濾過室74と、戻し路18は連通部88と連通する。」（段落【0025】、【0026】、【0027】）
b)「図１に示す様に、前記循環路20の集塵本体部14側に接続される空気ホース56は、フレキシブルホースを素材として中心位置に配置された吸引路16と、この吸引路16の外周面に周設された戻し路18とで二重筒状に形成されている。・・・また、空気ホース56の他端には、吸引路16に連通した吸引接続管62と戻し路18に連通した戻し接続管64とが設けられ、この吸引接続管62と戻し接続管64とは、集塵本体部14の集塵濾過室74と、この集塵濾過室74を通過した後の濾過空気を戻し接続管64へ回流させるための連通路88とにそれぞれ着脱自在に接続されている。」（段落【0035】）
c)「塵埃を含む空気の集塵濾過側において、濾過空気を空気ホース56の戻し路18に連通して誘導する構成を実現でき、循環路の形成を具体化できる。なお、図中において、90は吸引ファンの駆動モータ、92は駆動モータと連動する冷却ファン、94は通気孔、96は排気孔、98は車輪、100は電源線を示す。」（段落【0037】）
d)「集塵本体部14内で集塵濾過した後の濾過空気を外部へ排出させずに集塵本体部14内に設けた連通路88から循環路20内の戻し路18を経由して塵埃吸込部12側へ戻して循環できる」（段落【0041】）
　以上の記載から、甲第１号証には、以下の発明（以下、「引用発明」という。）が記載されているものと認める。
「吸引ファンを内蔵すると共に吸引ファンの排気を流す吸引路を有する掃除機本体に、空気ホース及び空気パイプを介して塵埃吸込部を連結した電気掃除機において、前記空気ホースを内側ホースと外側ホースとからなる二重構造に構成して、吸引路と前記掃除機本体の戻し路に連通する戻し路とを形成し、前記外側ホースには可撓性ホースを用い、前記内側ホースには導電線を内装しない可撓性ホースを用いた電気掃除機。」
　
　甲第２号証（実願昭62-18859号（実開昭63-129557号）のマイクロフィルム、当審で通知した取消しの理由に引用した刊行物２）には、電気掃除機の取っ手付曲がりパイプに関して、第１〜５図とともに以下の事項が記載されている。
a)「この取っ手付曲がりパイプ１には、第２図(a)の側面図に示すように、吸込側と掃出側に橋絡された取っ手部1Aが形成されており、この取っ手部1Aにはリモートコントロールスイッチ６が付設されている。」（明細書第４頁第３〜７行）
b)「これら導電性リング９には、それぞれ１本づつのリード線10が接続されており、２本のリード線10はリモートコントロールスイッチ６に接続される。」（明細書第４頁第17〜20行）
c)「一方、ホース５には同図(b)の平面図に示すように、接続パイプ11が取り付けられている。この接続パイプ11の外周にも３本の溝11A，11B，11Cが形成されており、このうち、溝11A，11Bには導電性リング12がはめ込まれている。これら導電性リング12にもリード線13が１本づつ接続されており、リード線13はさらにホース内を通って本体４に向かうホース鋼線14に接続される。」（明細書第５頁第４〜11行）
d)「この部分だけ半球形状になった導電性リング12は内側の接続パイプ８の溝8A，8Bにはめ込まれた導電性リング9に圧接される。」（明細書第６頁第１〜４行）
　
　甲第３号証（本件特許出願前の他の出願であって本件特許出願後に発行された特願平9-360245号（特開平11-187999号）の願書に最初に添付した明細書又は図面、以下「先願明細書」という。）には、図１〜４とともに以下の事項が記載されている。
a)「他方、従来の電気掃除機では、掃除機本体から螺旋状の凹凸により自由に屈曲可能なホースを延ばし、そのホースの先端部に電動送風機の駆動を制御する手元操作部が設けられているものが知られている。…このホースの先には延長管を介して吸込口体が接続され、吸込口体を移動させながら手元操作部のボタン操作により電動送風機のオン・オフ、強弱等がコントロール出来るようになっているが、掃除機本体から手元操作部までの導線などは、ホースの周りの蛇腹部に沿って螺旋状に埋設されている。…このため、このホースを実公昭39-36553号公報の循環式電気掃除機に適用すると、導線が螺旋状に巻かれてホースの重量が低減されないと共に、ホースの製造に手間がかかるという問題がある。また、導線を吸込風路11に設けると、吸い込んだ塵埃が導線に捕らえられて導線を切断したり、吸い込んだ塵が詰まるなどの問題が生ずる可能性がある。…そこで、この発明は、循環式の電気掃除機において、手元操作部への配線を容易なものとすると共に、二重の管体の電線の重量を軽減化し、併せて二重の管体の製造を容易なものとし、二重の管体内に配線を行った場合にも詰まりや配線の切断の心配がなく、管体の湾曲にも自由に追従できる電気掃除機を提供することを目的とする。」（段落【0007】、【0008】、【0009】、【0010】）
b)「図２，３において、20は電気掃除機本体であり、この本体20内には、集塵室21とこの集塵室21を負圧にする電動送風機22とこの電動送風機22から空気が排気される排気室23とが設けられている。集塵室21には集塵フィルタ24が取り付けられ、また、本体20に設けた接続口25にはホース30の接続部31が着脱自在に接続されている。…図１に示すように、ホース30は排気ホース33内に吸込ホース34を取り付けた２重構造となっており、ホース30を接続口25に接続すると吸込ホース34が集塵室21に連通し、排気ホース33が排気室23に連通するようになっている。・・・排気ホース33と吸込ホース34との間の空間は排気風路33Aとされ、吸込ホース34内は吸気風路34Aとされている。排気風路33Aに電気掃除機本体20から手元操作管35に至る導線Ｌが配線されている。・・・導線Ｌは、ホース30の屈曲に対して自由に追従できるように配線され」（段落【0016】、【0017】、【0018】）
c)「ホース30の他端には手元操作管35が設けられており、この手元操作管35には着脱自在に延長管40が接続され、この延長管40の先端部は吸込口体50の接続管51に着脱自在に接続されている。・・・手元操作管35は、ホース30と同様に排気管部36の中に吸込管部37が配設され、排気管部36と排気ホース33とが接続され、吸込管部37と吸込ホース34とが接続されている。」（段落【0019】、【0021】）
　
(4)対比・判断
(a)本件発明１と引用発明を対比すると、引用発明の「吸引ファン」、「空気パイプ」、「塵埃吸込部」、「吸引路」、「戻し路」が、本件発明１の「電動送風機」、「連結パイプ」、「床用吸込具」、「吸気流路」、「排気流路」にそれぞれ相当するものと認められるから、
　両者は、
「電動送風機を内蔵すると共に電動送風機の排気を流す排気流路を有する掃除機本体に、ホース及び連結パイプを介して床用吸込具を連結した電気掃除機であって、前記ホースを、内側ホースと外側ホースとからなる二重構造に構成して、吸気流路と前記掃除機本体の排気流路に連通する排気流路とを形成し、前記外側ホースには可撓性ホースを用い、前記内側ホースには導電線を内装しない可撓性ホースを用いた電気掃除機」の点で一致し、
（相違点１）
　可撓性外側ホースにおいて、前者は、「導電線が内装され」ているのに対し、後者はそのような構成を有するかどうか不明である点、
（相違点２）
  前者は、「内側ホースの端部に装着される補助パイプと、外側ホースの端部に装着される接続パイプとを備え、前記接続パイプに補助パイプを抜け止め機構により装着した」のに対し、後者はそのような構成を有しない点、
で相違する。
　
　そこで、上記相違点について検討する。
　まず、相違点２において、「内側ホースの端部に装着される補助パイプと、外側ホースの端部に装着される接続パイプとを備え、前記接続パイプに補助パイプを抜け止め機構により装着した」構成は甲第２号証にも存在しないし、上記構成を示唆する記述もない。
　そして、本件発明１は、上記構成を有することにより、「外側ホースと内側ホースとをそれぞれ接続パイプと補助パイプに接続した状態で組み立てることができ、組立作業性を向上することができる。」という作用効果を奏するものと認められる。
　したがって、相違点１を検討するまでもなく、本件発明１は、引用発明及び甲第２号証に基づいて当業者が容易に発明をすることができたものとすることはできない。
　
(b)本件発明１と先願明細書に記載された発明を対比すると、
両者は、
「電動送風機を内蔵すると共に電動送風機の排気を流す排気流路を有する掃除機本体に、ホース及び連結パイプを介して床用吸込具を連結した電気掃除機であって、前記ホースを、内側ホースと外側ホースとからなる二重構造に構成して、吸気流路と前記掃除機本体の排気流路に連通する排気流路とを形成し、前記外側ホースには導電線が内装された可撓性ホースを用い、前記内側ホースには導電線を内装しない可撓性ホースを用いると共に、前記内側ホースの端部に装着される補助パイプと、前記外側ホースの端部に装着される接続パイプとを備えた電気掃除機」で一致しているものと認められるが、
　先願明細書に記載された発明にも「接続パイプに補助パイプを抜け止め機構により装着した」構成を有しない。
　したがって、本件発明１は先願明細書に記載された発明と同一ではない。
　
　本件発明２、３は、本件発明１を引用したものであるから、本件発明１と同様の理由により、引用発明及び甲第２号証に基づいて、当業者が容易に発明をすることができないばかりでなく先願明細書に記載された発明と同一でもない。
　
〔４〕むすび
　以上のとおりであるから、特許異議申立ての理由及び証拠によっては、本件発明１〜３についての特許を取り消すことはできない。
　また、他に本件発明１〜３についての特許を取り消すべき理由を発見しない。
　よって、結論のとおり決定する。　
【異議決定日】
平成１５年２月７日（２００３．２．７）
【訂正の要旨】
　特許明細書の特許請求の範囲を、特許請求の範囲の減縮を目的として、下記の通り訂正する。
　　　記
　【特許請求の範囲】
　【請求項１】　電動送風機を内蔵すると共に電動送風機の排気を流す排気流路を有する掃除機本体に、ホース及び連結パイプを介して床用吸込具を連結した電気掃除機であって、
　前記ホースを、内側ホースと外側ホースとからなる二重構造に構成して、吸気流路と前記掃除機本体の排気流路に連通する排気流路とを形成し、前記外側ホースには導電線が内装された可撓性ホースを用い、前記内側ホースには導電線を内装しない可撓性ホースを用い
ると共に、前記内側ホースの端部に装着される補助パイプと、前記外側ホースの端部に装着される接続パイプとを備え、前記接続パイプに補助パイプを抜け止め機構により装着した
　【請求項２】　前記導電線として、保形性を有するコイル線を用いたことを特徴とする請求項１記載の電気掃除機。
　【請求項３】　前記二重構造のホースの端部が接続される接続パイプを、前記内側ホースが接続される内側の接続パイプと前記外側ホースが接続される外側の接続パイプからなる二重構造に構成し、前記接続パイプは、前記内側の接続パイプを、前記外側の接続パイプよりもホース側に突出させたことを特徴とする請求項１記載の電気掃除機。
　【請求項
４
　【請求項
５
　【請求項
６
　【請求項
７
　▲２▼　訂正事項ｂ
　上記訂正事項ａの訂正に伴い、特許請求の範囲の請求項１の記載と発明の詳細な説明の記載との整合性を図るため、明りょうでない記載の釈明を目的として、特許明細書の【００１１】を下記の通り訂正する。
　　　記
　【００１１】
　【課題を解決するための手段】
　上記のような目的を達成するために、電動送風機を内蔵すると共に電動送風機の排気を流す排気流路を有する掃除機本体に、ホース及び連結パイプを介して床用吸込具を連結した電気掃除機であって、前記ホースを、内側ホースと外側ホースとからなる二重構造に構成して、吸気流路と前記掃除機本体の排気流路に連通する排気流路とを形成し、前記外側ホースには導電線が内装された可撓性ホースを用い、前記内側ホースには導電線を内装しない可撓性ホースを用い
ると共に、前記内側ホースの端部に装着される補助パイプと、前記外側ホースの端部に装着される接続パイプとを備え、前記接続パイプに補助パイプを抜け止め機構により装着した
　▲３▼　訂正事項ｃ
　上記訂正事項ａの訂正に伴い、特許請求の範囲の請求項４を削除したため、特許請求の範囲の記載と発明の詳細な説明の記載との整合性を図るため、明りょうでない記載の釈明を目的として、特許明細書の【００１４】を削除する。
　▲４▼　訂正事項ｄ
　上記訂正事項ａの訂正に伴い、特許請求の範囲の請求項１を訂正したため、特許請求の範囲の記載と発明の詳細な説明の記載との整合性を図るため、明りょうでない記載の釈明を目的として、また、誤記の訂正を目的として、特許明細書の【００６１】を下記の通り訂正する。
　　　記
　【００６１】
　【発明の効果】
　以上のように本発明によれば、外側ホースに導電線が内装された可撓性ホースを用い、内側ホースに導電線を内蔵しない可撓性ホースを用いることにより、手元操作用のホースグリップ部や掃除機本体との配線処理は従来のままで、内側ホースに導電線を内装しない分、吸気流路と排気流路を構成する二重構造のホースの軽量化を図ることができる。また、接続パイプに、内側ホースに装着される補助パイプを装着することにより、外側ホースと内側ホースとをそれぞれ接続パイプと補助パイプに接続した状態で組み立てることができ、組立作業性を向上することができる。
　▲５▼　訂正事項ｅ
　上記訂正事項ａの訂正に伴い、特許請求の範囲の請求項４を削除したため、特許請求の範囲の記載と発明の詳細な説明の記載との整合性を図るため、明りょうでない記載の釈明を目的として、特許明細書の【００６４】を削除する。
（５４）【発明の名称】
電気掃除機
（５７）【特許請求の範囲】
　【請求項１】　電動送風機を内蔵すると共に電動送風機の排気を流す排気流路を有する掃除機本体に、ホース及び連結パイプを介して床用吸込具を連結した電気掃除機であって、
　前記ホースを、内側ホースと外側ホースとからなる二重構造に構成して、吸気流路と前記掃除機本体の排気流路に連通する排気流路とを形成し、前記外側ホースには導電線が内装された可撓性ホースを用い、前記内側ホースには導電線を内装しない可撓性ホースを用い
ると共に、前記内側ホースの端部に装着される補助パイプと、前記外側ホースの端部に装着される接続パイプとを備え、前記接続パイプに補助パイプを抜け止め機構により装着した
　【請求項２】　前記導電線として、保形性を有するコイル線を用いたことを特徴とする請求項１記載の電気掃除機。
　【請求項３】　前記二重構造のホースの端部が接続される接続パイプを、前記内側ホースが接続される内側の接続パイプと前記外側ホースが接続される外側の接続パイプからなる二重構造に構成し、前記接続パイプは、前記内側の接続パイプを、前記外側の接続パイプよりもホース側に突出させたことを特徴とする請求項１記載の電気掃除機。
　【請求項
４
　【請求項
５
　【請求項
６
　【請求項
７
【発明の詳細な説明】
　【０００１】
　【発明の属する技術分野】
　本願発明は電気掃除機に係わり、特に掃除機本体に内蔵した電動送風機からの排気をホース及びパイプを介して床用吸込具等に還流するようにした排気還流（循環）式の電気掃除機に関するものである。
　【０００２】
　【従来の技術】
　一般的な床移動型の掃除機においては、掃除機本体に内蔵した電動送風機からの排気を総て本体背面側等に形成された排気口から外部に排出するようにしている。
　【０００３】
　すなわち、床用吸込具等から空気と共に吸引された塵埃がパイプ及びホースを介して掃除機本体内に取り込まれ、紙パック等で塵埃を取り除かれた空気が電動送風機のモータを冷却した後、排気口から外部に排出されることになるが、電動送風機からの排気が総て排出されるため、かなりの勢いで外部に吹き出される。従って、この排気風によって床面や絨毯上に沈滞する埃が舞い上がって、部屋中に拡散するという不具合が生じる。
　【０００４】
　このような外部に吹き出される排気風を減らしたり、集塵効果を上げる等の目的で、従来より、例えば実公昭３９−３６５５３号公報や特開平９−１３５７９５号公報等に開示されているように、掃除機本体に連結されるホース，パイプ及び吸込具に、吸気流路と共に電動送風機からの排気の一部又は全部を還流する排気流路を形成して成る電気掃除機が提案されている。
　【０００５】
　上記のものでは、ホース及びパイプを二重構造に構成して、内側に吸気流路を形成し、外側に排気流路を形成するようにしている。
　【０００６】
　【発明が解決しようとする課題】
　上述したように排気還流式の電気掃除機においては、ホースを二重構造とする必要がある。ところが、電気掃除機のホースには一般的に１層２線ホースと呼ばれる導電性（信号線等として用いるため）や保形性を有するコイル線等が内装された比較的重たいホースが用いられている。従って、このようなホースを二重にすると、ホース全体の重さが過大になり、操作性が悪くなるため実用化が難しいという課題があった。
　【０００７】
　また、ホースの両端には、掃除機本体のホース差込口及びホースグリップ部に装着するための接続パイプが取り付けられるが、１層２線ホースのようなコイル線を内装したホースは接続パイプのホース取付端にねじ込むようにして装着固定しなければならないので、これを二重ホースの両端でそれぞれ２回ずつ計４回行わなければならず大変である。さらに、ホースのねじれ等を考慮して装着固定しなければならない。従って、ホースの組立工程がかなり煩雑となる。
　【０００８】
　さらに、１層２線ホースのようなコイル線を内装したホースは、誤って踏んだりすると変形が残る場合があるが、これを二重ホースにすると、内側のホースだけが変形した場合は外観ではその変形が分からず、塵埃詰まりが発生しやすくなる。
　【０００９】
　そこで、本願発明はこのような課題を解決するためになされたものであり、排気還流式の電気掃除機において、吸気流路と排気流路を形成する二重ホースの軽量化を図ることを目的とするものである。
　【００１０】
　また、ホースの組立工程を簡単化すること、外観で内側ホースの変形が分かるようにすること等を目的とするものである。
　【００１１】
　【課題を解決するための手段】
　上記のような目的を達成するために、電動送風機を内蔵すると共に電動送風機の排気を流す排気流路を有する掃除機本体に、ホース及び連結パイプを介して床用吸込具を連結した電気掃除機であって、前記ホースを、内側ホースと外側ホースとからなる二重構造に構成して、吸気流路と前記掃除機本体の排気流路に連通する排気流路とを形成し、前記外側ホースには導電線が内装された可撓性ホースを用い、前記内側ホースには導電線を内装しない可撓性ホースを用い
ると共に、前記内側ホースの端部に装着される補助パイプと、前記外側ホースの端部に装着される接続パイプとを備え、前記接続パイプに補助パイプを抜け止め機構により装着した
　【００１２】
　前記導電線として、保形性を有するコイル線を用いることが好ましい。
　【００１３】
　前記二重構造のホースの端部が接続される接続パイプを、前記内側ホースが接続される内側の接続パイプと前記外側ホースが接続される外側の接続パイプからなる二重構造に構成し、前記接続パイプは、前記内側の接続パイプを、前記外側の接続パイプよりもホース側に突出させることが好ましい。
　【００１４】
　【００１５】
　前記内側ホースが装着される補助パイプと、該補助パイプが装着される内側ホース取付部及び前記外側ホースが装着される外側ホース取付部を有する二重構造の接続パイプとを備え、前記補助パイプの嵌合部外周に環状溝を形成すると共に、前記接続パイプの内側ホース取付部に装着されて前記環状溝に係合する係合部材を設け、前記係合部材の環状溝への係合により、前記補助パイプと接続パイプの内側ホース取付部とを周方向に摺動可能に連結することが好ましい。
　【００１６】
　前記内側ホースは不透明にする一方、外側ホースには透明性を持たせることが好ましい。
　【００１７】
　前記連結パイプを、断面略円形の吸気流路を形成する内側筒状部と、この内側筒状部と一部が一体に形成されると共に内側筒状部を覆うようにして排気流路を形成する外側筒状部とから構成することが好ましい。
　【００１８】
　前記連結パイプの排気流路を断面略三日月型として、前記連結パイプの外側筒状部を断面略円形に形成することが好ましい。
　【００１９】
　【発明の実施の形態】
　以下、本願発明の一実施形態を図１〜図７を参照して詳細に説明する。
　【００２０】
　本願発明が適用される床移動型の掃除機は、図１に示すように、掃除機本体１、ホース２、連結パイプ３及び床用吸込具４などから構成されている。
　【００２１】
　掃除機本体１には、吸引用の電動送風機５を収容する電動機室６及び紙パック７や微塵フィルタ８を用いた集塵室９が内蔵されている。
　【００２２】
　また、掃除機本体１の背面側には、電動送風機５からの排気の一部を排気フィルタ１０を介して外部に排出する排気口１１が形成されている
　【００２３】
　そして、掃除機本体１の一部、ホース２、連結パイプ３及び床用吸込具４は流路が二重構造に成っており、吸気流路Ａと排気流路Ｂに分かれ、各部間で連通するように構成されている。
　【００２４】
　すなわち、掃除機本体１の集塵室９や電動機室６の下部側には、電動送風機５からの排気の一部を環流するための排気流路Ｂが形成され、この排気流路Ｂは掃除機本体１のホース差込口１２に装着されるホースジョイント部２０の排気流路Ｂに連通するようになっている。
　【００２５】
　上記ホースジョイント部２０は、接続パイプ２０ａ，２０ｂが同心円状の二重構造で、吸気流路Ａを形成する内側の接続パイプ２０ａ両端が突出した構成になっており、その一端が紙パック７の取付部７ａに差し込まれると共に、外側の接続パイプ２０ｂにより形成される排気流路Ｂが上記本体１側の排気流路Ｂに連通するように構成されている。
　【００２６】
　上記接続パイプ２０ａ，２０ｂの他端側には二重構造のホース２の一端が取り付けられている。このホース２は、内側にコンジットホースと呼ばれる洗濯機用排水ホースと同様な不透明の可撓性ホース２ａが用いられ、外側には１層２線ホースと呼ばれる導電性（信号線等として用いるため）と保形性を有するコイル線２１が内装された一般的な電気掃除機用の可撓性ホース２ｂが用いられている。内側にコンジットホース２ａを用いたのは、外側の１層２線ホース２ｂにコイル線２１が内装されていて内側にはコイル線が不要である点に着目したものである。コンジットホース２ａは、１層２線ホース２ｂのようにコイル線２１が内装されていないため、軽量であると共に、誤って踏まれても１層２線ホース２ｂのように変形が残らずに復元するという利点がある。伸縮性に関しては、ＰＶＣ樹脂等から成るチューブにコイル線２１を内装した１層２線ホース２ｂの方が樹脂を蛇腹状に成型したコンジットホース２ａよりも優れている。また、本実施形態においては、この１層２線ホース２ｂを半透明のＰＶＣ樹脂等で形成してある。
　【００２７】
　このように、コイル線２１は一方のみで良い点に着目して、外側には半透明ではあるが従来の吸気のみのものと同様な１層２線ホース２ｂを、内側には軽量なコンジットホース２ａを用いることにより、後述する手元操作用のホースグリップ部２４や掃除機本体１との配線処理は従来のままで、二重ホース２の軽量化が図れる。
　【００２８】
　また、上記のような二重ホース２を誤った踏んだ場合、内側のコンジットホース２ａは変形が残らずに復元するため、外側の１層２線ホース２ｂが変形していなければ内側のコンジットホース２ａも大丈夫で、外側の１層２線ホース２ｂが変形していれば内側のコンジットホース２ｂも潰れているというように、二重ホース２の外観からその状態が分かり、内側のホースの異常に気付かずに塵埃詰まりが発生するような不具合を防ぐことができる。
　【００２９】
　また、伸縮性が優れている１層２線ホース２ｂの方を外側にしているので、二重ホース２を曲げた時にもしなやかさが失われない。
　【００３０】
　さらに、内側のコンジットホース２ａは不透明、外側の１層２線ホース２ｂは半透明とすることにより、デザイン上の訴求効果による外観性の向上が図れると共に、二重ホース２は通常のホースより太くなるが、外側の１層２線ホース２ｂが半透明であるため、内側のコンジットホース２ａが見えることで、比較的細く見えるようになる。また、塵埃の通過する内側のコンジットホース２ａを不透明にし、集塵後の塵埃を含まない清浄な空気が通過する外側の１層２線ホース２ｂを半透明にしているので、内側のコンジットホース２ａ内面に付着した塵埃は見えず、外側の１層２線ホース２ｂ内面は汚れないため、二重ホース２の外観性が損なわれることもない。また、内側のコンジットホース２ａの状態が外側から見えるので、前記同様、内側のホースの異常に気付かずに塵埃詰まり等が発生するような不具合を防ぐことができる。
　【００３１】
　上記ホース２は、内側のコンジットホース２ａを内側の接続パイプ２０ａ突出端に装着し接着してから、外側の１層２線ホース２ｂを、外側の接続パイプ２０ｂ外表面に図４に示すようにネジ式に形成されたリブ２２にねじ込むようにして装着固定される。このホース２の取付部は筒状の保護カバー２３で覆われる。
　【００３２】
　上記において、ねじ込むのは外側にあって比較的取り付け易い１層２線ホース２ｂだけで、内側にあって取り付け難いコンジットホース２ａはまっすぐに差し込んで接着するだけであるから簡単である。また、この内側のコンジットホース２ａを取り付けるときに、そのホース取付端が外側の接続パイプ２０ｂのホース取付端よりも外側に突出しているので、外側の接続パイプ２０ｂが邪魔にならずに容易に取り付けることができる。従って、二重ホース２の組立工程がさらに簡単になる。
　【００３３】
　また、上記ホース２の他端は、手元操作用のグリップ部２４に接続パイプ２４ａ，２４ｂを介して上記と同様にして装着固定されている。すなわち、内側のコンジットホース２ａを内側の接続パイプ２４ａ突出端に装着し接着してから、外側の１層２線ホース２ｂを、外側の接続パイプ２４ｂ外表面に図６に示すようにネジ式に形成されたリブ２５にねじ込むようにして装着固定される。このホース２の取付部も筒状の保護カバー２６で覆われる。
　【００３４】
　この場合も上記同様、ねじ込むのは外側の１層２線ホース２ｂだけで、内側のコンジットホース２ａはまっすぐに差し込んで接着するだけであるから簡単である。また、この内側のコンジットホース２ａを取り付けるときに、そのホース取付端が外側の接続パイプ２４ｂのホース取付端よりも外側に突出しているので、外側の接続パイプ２４ｂが邪魔にならずに容易に取り付けることができる。従って、二重ホース２の組立工程がさらに簡単になる。
　【００３５】
　また、上記グリップ部２４は、連結パイプ３が装着される吸込口２７における吸気流路Ａと排気流路Ｂを隔てる隔壁部分２８が所定距離だけ奥に凹ませた構成となっている。この吸込口２７の上部には、連結パイプ３を装着固定するためのクランプ２９が設けられている。
　【００３６】
　なお、前述したホースジョイント部２０における内外の接続パイプ２０ａ，２０ｂと、上記グリップ部２４における内外の接続パイプ２４ａ，２４ｂは、図示しないリブ等により部分的に連結されて同心円状の二重構造となっている。
　【００３７】
　一方、連結パイプ３，３はそれぞれ図７に示すように、断面略円形の吸気流路Ａを形成する内側筒状部３ａと、この内側筒状部３ａと上部が一体に形成されると共に内側筒状部３ａを覆うようにして排気流路Ｂを形成する外側筒状部３ｂとから構成されている。
　【００３８】
　また、上記排気流路Ｂを通る排気は、掃除機本体１の紙パック７や微塵フィルタ８を介して塵埃が取り除かれたきれいな空気であるため、内側筒状部３ａのように塵埃詰まりを考慮した断面略円形に形成する必要がない点に着目して、本実施形態では上記排気流路Ｂを断面略三日月形として、外側筒状部３ｂが断面略円形になるように形成している。
　【００３９】
　これにより、上部が一体化されている分、軽量化が図れると共にスリム化も図れ、しかも内外共に断面略円形となるので、強度を損なうことなく操作性の優れたものとなる。従って、本実施形態の連結パイプ３は従来の吸気のみのものと比べても違和感なく、ほぼ同様な形状及び操作性が得られるものとなる。
　【００４０】
　なお、上記連結パイプ３の上部には、従来同様、ケーブルや連結用クランプ３１を覆うカバー３２が装着されている。
　【００４１】
　また、上記連結パイプ３において、もう１本の連結パイプ３を連結したり、床用吸込具４を連結する吸込口３３側は、吸気流路Ａと排気流路Ｂを隔てる隔壁部分（内側筒状部３ａの内壁部分）３４が所定距離だけ奥に凹ませた構成となっている。
　【００４２】
　一方、連結パイプ３の他端は、前記グリップ部２４の吸込口２７や連結パイプ３の吸込口３３側に対応して、外側筒状部３ｂが吸込口２７，３３側の内周に嵌合するようにやや径小に形成されると共に上部にはクランプ２９，３１と係合する突起３５が形成されており、クランプ２９，３１と突起３５が係合するまで嵌め込むことにより、内側筒状部３ａの端部が吸込口２７，３３側に凹ませて形成した隔壁部分２８，３４の開口端縁２８ａ，３４ａと密着するように構成されている。
　【００４３】
　なお、床用吸込具４の継手管４ａ，４ｂは同心円状の二重構造に形成されるが、上記連結パイプ３との嵌合部分は上記と同様に形成されている。
　【００４４】
　さて、上記のように構成された電気掃除機の使用時には、電動送風機５の吸引によって、床用吸込具４から吸い込んだ塵埃の混じった空気が連結パイプ３の吸気流路Ａ、ホース２の吸気流路Ａを通って掃除機本体１内に取り込まれる。本体１内では、紙パック７で塵埃が取り除かれ、更に微塵フィルタ８を介して清浄化された空気が電動送風機５に吸引され、そのモータ５ａを冷却する。
　【００４５】
　そして、電動送風機５からの排気の一部は本体１の排気口１１から外部へ排出され、その他は本体１の排気流路Ｂからホース２の排気流路Ｂ、連結パイプ３の排気流路Ｂを通って、床用吸込具４に環流し、この排気風により舞い上げられた塵埃と共に再び連結パイプ３の吸気流路Ａへと循環することになる。
　【００４６】
　以上のように本実施形態による排気還流式の電気掃除機においては、吸気流路Ａと排気流路Ｂが通るホース２の軽量化やその組立工程の簡単化、さらには連結パイプ３の軽量スリム化等が実現できるので、排気還流式の長所を実用的に具体化できる。
　【００４７】
　すなわち、排気の一部を還流させることにより、外部へ吹き出される排気風が低減し弱くなるので、掃除中の部屋の埃が舞い上がるのを効果的に抑制することができる。
　【００４８】
　また、何度となく循環する空気もあり、そのため外部に排出される排気風自体が紙パック７や微塵フィルタ８等により更に清浄化される。また、排気口１１より吹き出る排気風の流速も小さくなるので、排気フィルタ１０のフィルタ効率が向上し、排気清浄化がより効果的となる。これは、近年の清潔志向とも合致する。
　【００４９】
　図８〜図１０は、本願発明の他の実施形態を示す構成図であり、前記実施形態と同一又は相当部分には同一符号を用いている。
　【００５０】
　本実施形態では、図８や図９に示すように、内側ホースであるコンジットホース２ａの一端（グリップ部２４側）に取り付けられて、グリップ部２４側の接続パイプ２４ａの内側ホース取付端に密着嵌合される補助パイプ２００と、密着嵌合された補助パイプ２００の抜け止め機構２０１とを備えたものである。
　【００５１】
　上記抜け止め機構２０１は、図９や図１０に示すように、補助パイプ２００の嵌合部２０２外周に形成された環状溝２０３と、接続パイプ２４ａの内側ホース取付端に形成された取付孔２０４から装着されて補助パイプ嵌合部２０２の環状溝２０３に係合するＣリング部材２０５とから成っており、抜け止め機能と共に、コンジットホース２ａに取り付けられた補助パイプ２００と接続パイプ２４ａの内側ホース取付端とを周方向に摺動可能に連結するものである。
　【００５２】
　上記Ｃリング部材２０５は、図１０（ｂ）に示す一方の長片２０６側を取付孔２０４から嵌合溝２０３に差し込んでから、他方側に切欠き２０７により弾性を持たせて形成された爪２０８を取付孔２０４に押し込むようにして取り付けられ、爪２０８が取付孔２０４の端縁に引っかかって外れなくなるようになっている。なお、図１０（ｂ）において２４ｄは、内外の接続パイプ２４ａ，２４ｂ間を連結して同心円状の二重構造とするリブである。
　【００５３】
　上述したような改良が施された本実施形態による二重ホース２の組立工程（手順）は以下のようになる。
　【００５４】
　まず、上記補助パイプ２００を内側のコンジットホース２ａの一端に装着し接着しておいてから、コンジットホース２ａの他端を前記実施形態同様、掃除機本体１側に差し込まれるジョイント部２０の内側の接続パイプ２０ａ突出端に装着して接着し、さらに外側の１層２線ホース２ｂを外側の接続パイプ２０ｂ外表面に形成されたリブ２２にねじ込むようにして装着固定する。これで、本体側ジョイント部２０の組み立てが完了する。
　【００５５】
　次に、上記によりコンジットホース２ａの一端に取り付けられた補助パイプ２００をホースグリップ部２４に装着される接続パイプ２４ａ，２４ｂの内側ホース取付端に嵌合密着して、内側ホース取付端に形成された取付孔２０４にＣリング部材２０５を前述したようにして嵌め込む。これで、コンジットホース２ａが内側の接続パイプ２４ａに摺動可能に取り付けられたことになる。外側の１層２線ホース２ｂは前記実施形態同様、外側の接続パイプ２４ｂ外表面に形成されたリブ２５にねじ込むようにして装着固定する。
　【００５６】
　このとき、二重ホース２の他端側は既に本体側ジョイント部２０に装着固定されているので、外側の１層２線ホース２ｂをねじ込むと内側のコンジットホース２ａも同方向に回るが、本実施形態では上述したようにコンジットホース２ａが内側の接続パイプ２４ａに摺動可能に取り付けられているので、コンジットホース２ａにはねじれが生じない。
　【００５７】
　以上のように本実施形態によれば、内側のコンジットホース２ａの接続パイプ２４ａへの取り付けが極めて簡単になると共に、ねじれも生じないので、ねじれを考慮してコンジットホース２ａを反対側にねじっておくというような対策が不要となり、二重ホース２の組立工程が非常に簡単になる。
　【００５８】
　なお、上記実施形態では、グリップ部２４側を後に組み立てるものとしてコンジットホース２ａのグリップ部２４側に上記のような対策を施したが、本体ジョイント部２０側を後に組み立てる場合はコンジットホース２ａの本体ジョイント部２０側に上記のような対策を施せばよい。また、上記のように組み立て難い一方側だけでも充分な効果が得られるが、両側に上記のような対策を施せば、更に組み立てが簡単になる。
　【００５９】
　また、上記各実施形態では、外側ホースに導電性と保形性を有するコイル線２１を内装した１層２線ホース２ｂを用いたが、本願発明はこれに限らず、例えば２層４線ホースと呼ばれる信号線と電力線（パワーブラシ用）を内装したホースや、さらには、あまり保形性を有さない導電線（銅線など）を内装して保形性はホース自体等に持たせたもの、金属や合成樹脂で構成された保形性を有するコイル状の部材（保形手段）を内装したものなどにも適用可能である。
　【００６０】
　また、外側ホース（１層２線ホース２ｂ）を半透明としたが、半透明、透明にかかわらず透明性を持たせれば上記と同様な作用効果が得られる。
　【００６１】
　【発明の効果】
　以上のように本発明によれば、外側ホースに導電線が内装された可撓性ホースを用い、内側ホースに導電線を内蔵しない可撓性ホースを用いることにより、手元操作用のホースグリップ部や掃除機本体との配線処理は従来のままで、内側ホースに導電線を内装しない分、吸気流路と排気流路を構成する二重構造のホースの軽量化を図ることができる。また、接続パイプに、内側ホースに装着される補助パイプを装着することにより、外側ホースと内側ホースとをそれぞれ接続パイプと補助パイプに接続した状態で組み立てることができ、組立作業性を向上することができる。
　【００６２】
　また、外側ホースが内装する導電線として、保形性を有するコイル線を用いているので、二重ホースを誤って踏んだ場合、外側ホースはコイル線が内装されているので、変形が残りやすく、内側ホースはコイル線が内装されていないため、変形が残りにくくなり、従って、例えば、外側ホースが変形していなければ内側ホースも大丈夫で、外側ホースが変形していれば．内側ホースも潰れているというように、二重ホースの外観からその状態を判断することができ、内側ホースの異常に気づかずに塵埃等の詰まりが発生する不具合を防止することができる。
　【００６３】
　内側ホースが接続される内側の接続パイプを、外側ホースが接続される外側の接続パイプよりホース側に突出させているので、内側ホースを内側の接続パイプに接続する際、外側の接続パイプが邪魔にならずに、内側ホースを接続することができ、組立作業性を向上することができる。
　【００６４】
　【００６５】
　接続パイプに、内側ホースに接続される補助パイプを周方向に摺動自在に連結したので、外側ホースを接続パイプに接続した状態で、内側ホースを補助パイプにねじ込んで接続する際のホースのねじれを解消することができ、ホース組立作業性を向上することができる。
　【００６６】
　また、内側ホースは不透明にする一方、外側ホースには透明性を持たせたことにより、デザイン上の訴求効果による外観性の向上が図れると共に、二重ホースは通常のホースより太くなるが、透明性を有する外側ホースを透かして内側ホースが見えるため、比較的細く見えるようになる。また、塵埃の通過する内側ホースを不透明にし、集塵後の塵埃を含まない清浄な空気が通過する外側ホースを半透明にしているので、内側ホースの内面に付着した塵埃は見えず、外側ホース内面は汚れないため、二重ホースの外観性が損なわれることもない。また、内側ホースの状態が外側から見えるので、内側ホースの異常に気付かずに塵埃詰まり等が発生するような不具合を防ぐことができる。
　【００６７】
　また、パイプを、断面略円形の吸気流路を形成する内側筒状部と、この内側筒状部と一部が一体に形成されると共に内側筒状部を覆うようにして排気流路を形成する外側筒状部とから構成したことにより、塵埃詰まりの虞もなく吸気流路と排気流路が通るパイプの軽量スリム化を図ることができ、排気環流式の電気掃除機の実用化が更に容易となる。
　【００６８】
　さらに、パイプの排気流路を断面略三日月形として、パイプの外側筒状部を断面略円形に形成したことにより、従来の吸気のみのものと比べても違和感なく、ほぼ同様な形状及び操作性が得られる。
【図面の簡単な説明】
　【図１】
　一般的な床移動型の掃除機に本願発明を適用した一実施形態を示す全体構成図であり、ホースの途中部分は図示の都合上省略している。
　【図２】
　上記図１の掃除機本体部分の拡大断面図。
　【図３】
　同じく、ホースジョイント部の拡大断面図。
　【図４】
　上記ホースジョイント部の接続パイプの構成図で、（ａ）は一部を切欠き断面で示した側面図、（ｂ）はホースが接続される一端側の端面図である。
　【図５】
　上記図１のホースグリップ部の拡大断面図。
　【図６】
　上記グリップ部の接続パイプの構成図で、（ａ）は側面図、（ｂ）はホースが接続される一端側の端面図である。
　【図７】
　上記実施形態における連結パイプの構成図で、（ａ）はその縦断面図、（ｂ）は前記（ａ）のＡ−Ａ断面図、（ｃ）は側面図、（ｄ）は前記（ｃ）の一端側の端面図、（ｅ）は同じく他端側の端面図、（ｆ）は前記（ｃ）のＢ−Ｂ断面図である。
　【図８】
　一般的な床移動型の掃除機に本願発明を適用した他の実施形態を示す全体構成図であり、ホースの途中部分は図示の都合上省略している。
　【図９】
　上記図１のホースグリップ部の拡大断面図。
　【図１０】
　上記ホースグリップ部の接続パイプとホースの取り付け構造を示す構成図で、（ａ）はその縦断面図、（ｂ）は前記（ａ）のＡ−Ａ断面図である。
　【符号の説明】
　１　掃除機本体
　２　ホース
　２ａ　コンジットホース（内側ホース）
　２ｂ　１層２線ホース（外側ホース）
　３　連結パイプ
　３ａ　内側筒状部
　３ｂ　外側筒状部
　４　床用吸込具
　５　電動送風機
　５ａ　モータ
　６　電動機室
　７　紙パック
　９　集塵室
　１１　排気口
　２０　ホースジョイント部
　２０ａ，２０ｂ　接続パイプ
　２１　コイル線
　２４　ホースグリップ部
　２４ａ，２４ｂ　接続パイプ
　２００　補助パイプ
　２０１　抜け止め機構
　２０２　嵌合部
　２０３　環状溝
　２０４　取付孔
　２０５　Ｃリング部材（係合部材）
　Ａ　吸気流路
　Ｂ　排気流路